(57)【要約】      （修正有）【課題】パチンコ機等に好適な省電力なソレノイド駆動回路を作成し、保持状態での電力消費の７５％を節減する。【解決手段】コイルに並列にダイオードが接続されているソレノイドを、可動部を吸引する駆動用時間は１００％で駆動し、吸引されて保持状態時の保持用時間にはパルス駆動する。５０％ＯＮ、５０％ＯＦＦのパルスなら、コイルに流れる電流は１／２となり、その内５０％が外部電源から供給される。従来の保持状態でも１００％駆動していた方式に対して、７５％の電力節減が出来る。マイコンとソレノイドを駆動するスイッチング部材の間に挿入し、マイコンから制御出力信号とマイコンのタイマー割込毎に０，１のパルス信号を受け、駆動用時間は１００％のＯＮ信号を出し、保持用時間にはマイコンからのパルス信号を出すソレノイド駆動信号発生器を介在させて構成する。遊技機以外にもマイコンでソレノイドを駆動する用途は多いので利用範囲は広い。【選択図】図１
2012253307.tif 000002
【特許請求の範囲】
【請求項１】
ソレノイドコイルに並列にダイオードが接続されているソレノイド１個につき１つあてで、制御端子にＯＮ信号が与えられるとオンになり該ＯＮ信号が絶たれるとオフになるスイッチング部材を配置した回路構成に適用されて、
前記スイッチング部材とマイコンとの間に介在し、マイコンからの制御出力信号時間の内、ソレノイドが可動部を吸引するに必用な駆動用時間は１００％のＯＮ信号を、可動部が吸引された状態を保持する保持用時間にはパルス信号を前記スイッチング部材の制御端子に与えるソレノイド制御回路であって、
該パルス信号が該マイコンのタイマー割込プログラムが走行する毎に発生する、５０％ＯＮ、５０％ＯＦＦのパルスであることを特徴とするソレノイド制御回路。
【請求項２】
ソレノイドコイルに並列にダイオードが接続されているソレノイド１個につき１つあてで、制御端子にＯＮ信号が与えられるとオンになり該ＯＮ信号が絶たれるとオフになるスイッチング部材を配置した回路構成に適用されて、
前記スイッチング部材とマイコンとの間に介在し、マイコンからの制御出力信号時間の内、ソレノイドが可動部を吸引するに必用な駆動用時間は１００％のＯＮ信号を、可動部が吸引された状態を保持する保持用時間にはパルス信号を前記スイッチング部材の制御端子に与えるソレノイド制御回路であって、
該駆動用時間を作成する駆動用時間作成部の信号と該パルス信号をＯＲ処理し、
該ＯＲ処理出力とマイコンからの制御出力信号をＡＮＤ処理し、
該ＡＮＤ処理出力を該スイッチング部材の制御端子に与える事を特徴とするソレノイド制御回路。
【請求項３】
請求項２であって、
該駆動用時間作成部が
抵抗とコンデンサーと、ヒステリシス付きインバーターとで構成され、
制御入力端子へのハイ信号が抵抗と、コンデンサーで遅延された後、
ヒステリシス付きインバーターで反転された出力を発生する駆動用時間作成部で、
制御入力端子にハイが加わってから、ヒステリシス付きインバーターの出力がローに反転するまでの時間を、駆動用時間として出力する駆動用時間作成部を有する事を特徴とするソレノイド制御回路。
【請求項４】
請求項２であって、
該駆動用時間作成部が
多段のフリップフロップを含む計数回路から成り、
制御入力端子に有意な信号の無い時、該計数回路はクリヤーされ、
有意な信号を受けるとパルス入力を計数開始し、定められたパルス数をカウントした時点で計数を停止し、計数開始から計数停止までの時間を駆動用時間として出力する駆動用時間作成部を有する事を特徴とするソレノイド制御回路。
【請求項５】
請求項４であって、
該計数回路が分周切り換え器を含み、分周切換端子へ与える電位の変化で駆動用時間を変化出来る事を特徴とするソレノイド制御回路。
【発明の詳細な説明】
【技術分野】
【０００１】  本発明は、パチンコ機、スロット機等に関連する。
【背景技術】
【０００２】  パチンコ機等遊技機は遊技者の好み、製造者の競争関係から、高度に電子化され、電子、電気部品のかたまりと成り、多大な電力消費が必要と成っている。しかし、東日本大震災を機に、その電力消費が反社会的との声さえ出ている。パチンコ機では普通電動役物、特別電動役物のソレノイドは必須部品であり、また、演出用のソレノイドも廃止までは出来ず省電力化に対しては数を減らすのが精一杯の努力である。
今まで、電気は無制限に利用出来るのは当然と考えられ、スイッチング部材（トランジスター等）でＯＮ−ＯＦＦするのが安価であり、省電力化の進歩が遅れた。また一方で、ソレノイドには発熱、温度上昇での吸引力低下と言う問題は以前から検討されており、特開平６−３１０３５、実開平５−２５７０４、実開平７−４２１０５等が先行技術としてある。【０００３】  ソレノイドには可動部を吸引させるには大きな電流を必要とするが、吸着状態を保持するには１〜２割の電流でよいと言う特性があり、特開平６−３１０３５、実開平７−４２１０５等は２電源を持ち、駆動時は大きな電流、保持時は小さな電流をの考えで構成される。
実開平５−２５７０４は大変優れた考えで、１個の電源で駆動時は１００％で、保持時はパルス状に電流を流す方式を取っている。ソレノイドのコイルは磁気エネルギーを蓄え、駆動パルスのＯＦＦの時間には磁気エネルギーがダイオードを介してコイルに電流を流し続ける事を利用している。
【先行技術文献】
【特許文献】
【０００４】
【特許文献１】特開平６−３１０３５
【特許文献２】実開平５−２５７０４
【特許文献３】実開平７−４２１０５
【発明の概要】
【発明が解決しようとする課題】
【０００５】本発明が解決しようとする課題は、以下の通りである。
（１）  ソレノイドの保持状態消費電力を大幅（７５％）削減し、省電力に貢献する。
（２）  ソレノイドの発熱を低減し、小型化に貢献する。
（３）  省電力が出来るとは言え、追加の部品に成る事から、可能な限り、安価で、小型で確実な動作で、使い易い物にする事。【０００６】ソレノイドをパルス的に駆動するにはソフト的にも可能で、出願人はソフトでの具体化も検討を進めている。が、検討の結果、プログラムは必ずしも短く成らず、従来の遊技制御ソフトに追加するのは簡単でもない。との結果も得ている。パチンコ機で認められるＲＯＭ容量は４Ｋバイト、ＲＡＭ容量は２５６バイトに適用するには抵抗が多いと感ずる。
勿論、ＲＯＭ、ＲＡＭ容量に制限の無い、一般用途には部材追加が無い点でソフトでの対応は優れる。【０００７】
【課題を解決する為の手段】
【０００８】  請求項１のソレノイド駆動回路は、ソレノイドコイルに並列にダイオードが接続されているソレノイド１個につき１つあてで、制御端子にＯＮ信号が与えられるとオンになり該ＯＮ信号が絶たれるとオフになるスイッチング部材を配置した回路構成に適用されて、前記スイッチング部材とマイコンとの間に介在し、マイコンからの制御出力信号時間の内、ソレノイドが可動部を吸引するに必用な駆動用時間は１００％のＯＮ信号を、可動部が吸引された状態を保持する保持用時間にはパルス信号を前記スイッチング部材の制御端子に与えるソレノイド制御回路であって、該パルス信号が該マイコンのタイマー割込プログラムが走行する毎に発生する、５０％ＯＮ、５０％ＯＦＦのパルスであることを特徴とするソレノイド制御回路であるから、課題（１）のソレノイドの保持状態での電力消費を７５％低下させ、大幅な電力節減を可能とする。また、結果、
ソレノイドの発熱を低減しソレノイドの小型化を可能とし課題（２）を実現する。課題（３）に対しては必要なパルス入力信号をマイコンのタイマー割込プログラムが走行する毎に発生するパルスを用いているので他のパルス源が無用で安価である。特に、タイマー割込毎に５０％ＯＮ、５０％ＯＦＦのパルスを作成するのは１０バイト程の極めて短い命令で済み、本来のマイコン制御プログラムに負荷を掛けない。また、マイコン用の１メガヘルツ程の水晶発振器に対して１キロヘルツ程のパルスが得られ、その周期のパルスは保持用に適したパルスである。
【０００９】  請求項２のソレノイド駆動回路は、ソレノイドコイルに並列にダイオードが接続されているソレノイド１個につき１つあてで、制御端子にＯＮ信号が与えられるとオンになり該ＯＮ信号が絶たれるとオフになるスイッチング部材を配置した回路構成に適用されて、前記スイッチング部材とマイコンとの間に介在し、マイコンからの制御出力信号時間の内、ソレノイドが可動部を吸引するに必用な駆動用時間は１００％のＯＮ信号を、可動部が吸引された状態を保持する保持用時間にはパルス信号を前記スイッチング部材の制御端子に与えるソレノイド制御回路であって、該駆動用時間を作成する駆動用時間作成部の信号と該パルス信号をＯＲ処理し、該ＯＲ処理出力とマイコンからの制御出力信号をＡＮＤ処理し、該ＡＮＤ処理出力を該スイッチング部材の制御端子に与える事を特徴とするソレノイド制御回路であるから、課題（１）のソレノイドの保持状態での電力消費を７５％低下させ、大幅な電力節減を可能とする。また、結果、ソレノイドの発熱を低減しソレノイドの小型化を可能とし課題（２）を実現する。課題（３）に対してはソレノイド駆動信号発生器の部分が簡単な部品から構成できる駆動用時間作成部とＯＲ回路、ＡＮＤ回路のみで構成できる事から、安価で、小型で信頼性も高いと言う特徴を発揮する。この発明の構成は、パルス信号がマイコンからのタイマー割込によるパルスはもとより、その他の外部パルス、及び、ソレノイド駆動信号発生器の内部発生パルスをパルス入力端子に結ぶ様にも変形出来、利用形態が多い特徴がある。
【００１０】請求項３のソレノイド駆動回路は、ソレノイドコイルに並列にダイオードが接続されているソレノイド１個につき１つあてで、制御端子にＯＮ信号が与えられるとオンになり該ＯＮ信号が絶たれるとオフになるスイッチング部材を配置した回路構成に適用されて、前記スイッチング部材とマイコンとの間に介在し、マイコンからの制御出力信号時間の内、ソレノイドが可動部を吸引するに必用な駆動用時間は１００％のＯＮ信号を、可動部が吸引された状態を保持する保持用時間にはパルス信号を前記スイッチング部材の制御端子に与えるソレノイド制御回路であって、該駆動用時間を作成する駆動用時間作成部の信号と該パルス信号をＯＲ処理し、該ＯＲ処理出力とマイコンからの制御出力信号をＡＮＤ処理し、該ＡＮＤ処理出力を該スイッチング部材の制御端子に与える事を特徴とするソレノイド制御回路であって、該駆動用時間作成部が抵抗とコンデンサーと、ヒステリシス付きインバーターとで構成され、制御入力端子へのハイ信号が抵抗と、コンデンサーで遅延された後、ヒステリシス付きインバーターで反転された出力を発生する駆動用時間作成部で、制御入力端子にハイが加わってから、ヒステリシス付きインバーターの出力がローに反転するまでの時間を、駆動用時間として出力する駆動用時間作成部を有する事を特徴とするソレノイド制御回路であるから、課題（１）のソレノイドの保持状態での電力消費を７５％低下させ、大幅な電力節減を可能とする。また、結果、ソレノイドの発熱を低減しソレノイドの小型化を可能とし課題（２）を実現する。課題（３）に対しては駆動用時間作成部を構成する
部品が抵抗とコンデンサーとヒステリシス付きインバーターのみであり、ワンショット、マルチバイブレータ等の回路部品を用いるのに対し、安価で、小型で信頼性も高いと言う特徴を発揮する。
【００１１】請求項４のソレノイド駆動回路は、ソレノイドコイルに並列にダイオードが接続されているソレノイド１個につき１つあてで、制御端子にＯＮ信号が与えられるとオンになり該ＯＮ信号が絶たれるとオフになるスイッチング部材を配置した回路構成に適用されて、前記スイッチング部材とマイコンとの間に介在し、マイコンからの制御出力信号時間の内、ソレノイドが可動部を吸引するに必用な駆動用時間は１００％のＯＮ信号を、可動部が吸引された状態を保持する保持用時間にはパルス信号を前記スイッチング部材の制御端子に与えるソレノイド制御回路であって、該駆動用時間を作成する駆動用時間作成部の信号と該パルス信号をＯＲ処理し、該ＯＲ処理出力とマイコンからの制御出力信号をＡＮＤ処理し、該ＡＮＤ処理出力を該スイッチング部材の制御端子に与える事を特徴とするソレノイド制御回路であって、該駆動用時間作成部が多段のフリップフロップを含む計数回路から成り、制御入力瑞子に有意な信号の無い時、該計数回路はクリヤーされ、有意な信号を受けるとパルス入力を計数開始し、定められたパルス数をカウントした時点で計数を停止し、計数開始から計数停止までの時間を駆動用時間として出力する駆動用時間作成部を有する事を特徴とするソレノイド制御回路であるから、課題（１）のソレノイドの保持状態での電力消費を７５％低下させ、大幅な電力節減を可能とする。また、結果、ソレノイドの発熱を低減しソレノイドの小型化を可能とし課題（２）を実現する。課題（３）に対しては駆動用時間作成部を構成する部品と共に他のＯＲ回路、ＡＮＤ回路をもワンチップの集積回路で構成出来、安価で、小型で高信頼性と言う特徴を発揮する。また、複数個のソレノイド駆動信号発生器を樹脂封印し、ワンパック状に納めるに適している。
【００１２】請求項５のソレノイド駆動回路は、請求項４であって、
該計数回路が分周切り換え器を含み、分周切換端子へ与える電位の変化で駆動用時間を変化出来る事を特徴とするソレノイド制御回路であるから、種種のソレノイドの変化、及び使用条件の変化に対し、可動部を吸引するに必用な駆動用時間を変更出来、汎用性が向上する効果が大きい。
【００１３】
【図面の簡単な説明】
【００１４】
【図１】  本発明のソレノイド駆動回路の第１実施例を示す説明図。
【図２】  本発明のソレノイド駆動回路の第２実施例を示す説明図。
【発明を実施する為の形態】
【００１５】  図１は本発明のソレノイド駆動回路の第１実施例を示す説明図であり、図（ａ）は回路構成を示す。図（ｂ）は本発明の基礎と成るソレノイド電流波形を示す。図（ｃ）は同電流波形の拡大図である。図（ａ），（ｂ），（ｃ）は一体的に用いて説明する。
【００１６】  マイコン１からは制御出力端子１ａがソレノイド駆動信号発生器２の、制御入力端子８に結ばれ、同マイコンのパルス出力端子１ｂがソレノイド駆動信号発生器のパルス入力端子９に結ばれ、ソレノイド駆動信号発生器２の出力端子１０が抵抗７を介し、ＦＥＴ３の制御端子３ａに結ばれ、同ＦＥＴ３のドレイン端子３ｂはソレノイドコイル４とダイオード５のアノードに結ばれる。同ソレノイドコイル４の他端とダイオード５のカソードは外部電源６の＋に結ばれる。ＦＥＴ３のソース端子３ｃは外部電源６の−に結ばれる。詳しくは後に説明するが、上記配線で図中の下部に示されるＴｂの制御出力信号時間のソレノイド駆動の指示が出ると、駆動用時間であるＴａの間は１００％ＯＮでＦＥＴ３は駆動され、保持用時間であるＴｂ−Ｔａはパルス入力端子９からのパルス状態でＦＥＴ３が駆動される。
なお、ＦＥＴ３はトランジスタでもＩＰＤ（インテリジェント  パワー  デバイス）でも良いので総称してスイッチング部材と言う。
【００１７】  次ぎに、図（ｂ）でソレノイド電流波形の説明をする。駆動用時間ＴａでＦＥＴ３を完全ＯＮ状態にすると、ｉ＝Ｉｏ（１−ｅ−Ｒｔ／Ｌ）の式で電流は増大し、Ｉｐで示す点で上昇は減速し、再び上記式に従い上昇する。Ｉｏは外部電源６の電圧値をソレノイドコイル４の抵抗値で割った値であり、Ｉｐで示す点で上昇が減速するのはソレノイドの可動鉄心、または鉄片が動く事で起電力が外部電源と逆極性で生ずる事に起因する。動きが停止すれば、起電力は無くなり、再び元の式に従う。
【００１８】  Ｔａが終わり、保持用時間Ｔｂ−Ｔａに入ると、パルス入力端子９に加わるパルスがマイコン１のタイマー割込毎に変わり０，１のパルスの場合には、５０％ＯＮ、５０％ＯＦＦのパルス駆動の結果、半分の電流値のＩｏ／２の電流がソレノイドコイル４に流れる。１／２以下の電流値で一層の省電力を目指すならＯＮの時間割合を少なくすれば可能である。
【００１９】  次ぎに、図（ｃ）で５０％ＯＮ、５０％ＯＦＦのパルス駆動の細部を説明する。Ｉｏ／２の電流値を中心に指数関数に従う上昇と下降の繰り返しであるが、上昇する時は初期値ＩＬから、目標値Ｉｏに向かい、目標値Ｉｏと初期値ＩＬと差が計数となる。結果、時間と共に変化する電流値の式はｉ＝ＩＬ＋（Ｉｏ−ＩＬ）＊（１−ｅ−Ｒｔ／Ｌ）となる。ＯＦＦでの下降する電流値は初期値ＩＨから電流値０に向かう指数関数であり、式はｉ＝ＩＨ＊ｅ−Ｒｔ／Ｌで表せる。ここで、記号Ｌはソレノイドコイルのインダクタンスであり、ＲはＯＮ時はソレノイドコイル及びＦＥＴ３，外部電源６，配線上の抵抗分であり、ＯＦＦ時はソレノイドコイル及びダイオード５の抵抗分である。ＯＮ時とＯＦＦ時で抵抗分が異なる事は５０％ＯＮ、５０％ＯＦＦのパルス駆動をした時、完全な１／２の電流値Ｉｏ／２と差が生ずる事を意味する。抵抗分は発熱で損失に成る成分であるから、ダイオード５は整流用ダイオードよりショットキーダイオードが望ましいし、ＦＥＴもより抵抗値の低い物が望ましい。
【００２０】  図（ｃ）でもう一つ大切な事がある。ＯＮ時は電流は外部電源６からソレノイドコイル４、ＦＥＴ３を通り流れ、外部電源の電力を消費する。が、ＯＦＦ時はソレノイドコイル４からダイオード５へ流れるのみで外部電源の電力を消費していない事に注意を要する。これは、ＯＮ時にソレノイドコイル４に蓄えられた磁気エネルギーがＯＦＦ時にダイオード５を通して放出される現象を利用しているからである。結果、パルス駆動しなかった時に流れる電流値Ｉｏの半分の更に半分である、１／４Ｉｏが外部電源から供給されるのみであり、７５％の省電力と言える。
【００２１】  次に、先ほど説明を省略した、ソレノイド駆動信号発生器２を詳しく説明する。
マイコン１が「ソレノイドを作動させよ！。」の意味で制御出力端子１ａから、制御入力端子８へハイ（Ｈ）の信号を出すと、駆動用時間作成部１９を構成する抵抗１１を介し、コンデンサー１２へ電流が流れ、コンデンサー１２の電位を上昇させる。ヒステリシス付きインバーター１３はその電位上昇を監視し、しきい値に達する迄はローの入力と判断し、出力はハイを出している。即ち、抵抗１１とコンデンサー１２で決まる一定の時間まではハイ出力を保ち、しきい値まで電位が上昇すると、ローの出力に変化する。この、制御入力端子８にハイが入ってからハイを続けていてローに切り替わる迄の時間がＴａであり、駆動用時間である。
ヒステリシス付きインバーターを用いる理由はロー、ハイの切り替わり近辺でチャタリングしソレノイドに流れる大きな電流の異常振動を防止する為である。ダイオード１４，抵抗１５は一度、動作した後にコンデンサー１２の電荷を放電させ、次の動作に備える為である。
【００２２】  ヒステリシス付きインバーター１３の出力とパルス入力端子９からの信号はＯＲ回路１７の入力として各々入れられる。同ＯＲ回路の出力はＡＮＤ回路１８の一方の入力へ、他方の入力は制御入力端子８へ結ばれる。結果ＡＮＤ回路１８の出力は以下の動作をする。
１；制御入力端子がローで有意信号の無いときはＡＮＤ回路１８の出力即ち出力端子１０はローである。
２；制御入力端子がハイに成ると、ＡＮＤ回路の一方はハイが保証されたので、ＯＲ回路の出力に依存するが、
２ａ；制御入力端子がハイに成った直後からヒステリシス付きインバーター１３がローに切り替わる迄の駆動用時間Ｔａはパルス側のＯＦＦ時間帯もＯＲだからハイを出し続け出力はＯＮ。
２ｂ；駆動時間Ｔａの後はヒステリシス付きインバーター１３がロー出力だから、ＯＲ回路１７はパルス入力端子９のパルスを出力として出させる。この動作は保持用時間Ｔｂ−Ｔａである。
【００２３】  あまりにも簡単な回路と思われると感ずるが、ワンショットマルチバイブレータ等の他の方式も有るが、本発明は出来る限りの簡単、安価を大切にしている。また、ＣＲ遅延回路はノイズに強く信頼性が高い。特に汎用性の高いゲート素子だけで構成出来る点が優れる。
パルス入力端子９に加えられるパルスに関し、さらに説明する。図（ｃ）のＯＮ−ＯＦＦの周波数は５０Ｈｚ以上数ＫＨｚ以下が良い、低すぎると吸着状態の保持力に問題が生じ、高すぎるとスイッチングロスを生ずる。１ＫＨＺ程の専用発信器を用意しても良いし、マイコン用の数ＭＨＺの水晶発振器から分周して作成してもよいが、マイコンのソフトはタイマー割込を繰り返して作動する様に作られるのが常であり、その割込時間は１ミリ秒程の物が多く、周波数にして５００Ｈｚ近辺で、そのままパルス入力端子９に加えて使うのに最適である。また、そのプログラムに必要なバイト数は１０バイト程と極めて短く、本来の制御プログラムに負担に成らない。
【００２４】  次ぎに図２の本発明のソレノイド駆動回路の第２実施例を説明図に基づき説明する。
この例はコンデンサーを含まず、半導体のみで構成されている。即ち、専用の集積回路にする事が可能で、大量生産で安価に、高信頼性なソレノイド駆動信号発生器を作成可能である。
説明が後に成ったが、ソレノイド駆動回路とはＦＥＴ等スイッチング部材、ソレノイドコイル、ダイオードを含む場合の言葉であり、ソレノイド駆動信号発生器とはＦＥＴ等スイッチング部材を含まない場合の言葉である。
【００２５】  図２では、ソレノイド駆動信号発生器２０には、制御入力端子２１とパルス入力端子２２，出力端子２３，分周切換端子２４が設けられ、内部に、初段フリップフロップ２５、ｎ段目フリップフロップ２６，ｎ＋１段目フリップフロップ２７，最終段フリップフロップ２８等多段のフリップフロップが設けられている。制御入力端子２１からはインバータ３０を介し、前記各フリップフロップのリセット部へ結線がなされ、制御入力端子２１がローの時は全フリップフロップ
2012253307.tif 000003
ある。
【００２６】  パルス入力端子２２からはインバーター３１を介しＮＡＮＤ回路３２の一方の入力端子に結
2012253307.tif 000004
ーター３４を介して結ばれる。ＮＡＮＤ回路３２の出力は初段フリップフロップ２５のクロック
2012253307.tif 000005
上記配線状態で以下の様に動作する。リセット状態、及び最終段フリップフロップ２８にカウ
2012253307.tif 000006
３３，３４を介したＮＡＮＤ回路の入力にハイを伝えている。ＮＡＮＤ回路は一方の入力がハイの状態では他方の入力がローならハイの出力を、ハイならローの出力を出す。すなわち、インバータ３１から入るパルスを初段フリップフロップ２５へ伝える状態にある。
【００２７】  結果、制御入力端子２１がハイに成ると、常にパルス入力端子２２から加わっているパルスは各段のフリップフロップで分周されながら順次、後段のフリップフロップの出力を切り換えて行く、図では９段のフリップフロップであるから２５６発のパルスを受けて最終段フリップフロ
2012253307.tif 000007
介してＮＡＮＤ回路の入力に伝わると、ＮＡＮＤ回路３２は以後のパルスを通さなくなる。その理由はＮＡＮＤ回路は一方の入力がローなら他方はローでもハイでもハイの出力を出すからである。インバーター３３の出力はインバーター３５に結ばれる。
【００２８】  以上の説明部分は点線で囲まれる駆動用時間作成部３８であり、図１の駆動用時間作成部１９と同一の作用をする。即ち、駆動用時間Ｔａを作成する。次ぎに、分周切換器２９の説明をする。この部分の働きはパルス入力端子２２に入るパルスに対して希望の駆動用時間Ｔａを作る作用がある。ｎ段目フリップフロップ２６の出力又はｎ＋１段目フリップフロップ２７の出力を切り換えて後段のフリップフロップに伝える様にされているので、結果、駆動用時間Ｔａを変化させられる。その手段は分周切換端子２４をハイにするかローにするかで行われる。
【００２９】  駆動用時間作成部３８の出力であるインバーター３５以降は図１と同一である。ＯＲ回路３６の一方の入力にインバータ３５から信号が入り、他方の入力にパルス入力端子２２からのパルスが加わり、その出力をＡＮＤ回路３７の一方に入れ、他方の入力を制御入力端子２１に結んでいるので、駆動用時間Ｔａの間は１００％のＯＮを、その後、保持用時間であるＴｂまではパルス状態を出力端子２３を介して外部に出す。
【００３０】  以上、図１，図２で説明したマイコンの制御出力信号で作動させられるソレノイド駆動回路は省電力が強く求められる時代背景の中、貢献度の大きいものと言える。特にソレノイド駆動回路を構成するソレノイド駆動信号発生器にマイコンのタイマー割込毎に０，１が変化するパルスを利用する時効果があり、また、抵抗、コンデンサー、ヒステリシス付きインバーターでの駆動用時間作成部またはカウンターによる駆動時間作成部とＯＲ回路、ＡＮＤ回路で構成出来る簡単さが、安価で、小型で、確実な物の実現に貢献する。
【符号の説明】
【００３１】１                    マイコン
２                    ソレノイド駆動信号発生器
３                    ＦＥＴ（スイッチング部材）
４                    ソレノイドコイル
５                    ダイオード外部電源
６                    外部電源
７                    抵抗
８                    制御入力端子
９                    パルス入力端子
１０                  出力端子
１１                  抵抗
１２                  コンデンサー
１３                  ヒステリシス付きインバーター
１４                  ダイオード
１５                  抵抗
１６                  欠番
１７                  ＯＲ回路
１８                  ＡＮＤ回路
１９                  駆動用時間作成部
２０                  ソレノイド駆動信号発生器
２１                  制御入力端子
２２                  パルス入力端子
２３                  出力端子
２４                  分周切換端子
２５                  初段フリップフロップ
２６                  ｎ段目フリップフロップ
２７                  ｎ＋１段目フリップフロップ
２８                  最終段フリップフロップ
２９                  分周切換器
３０                  インバーター
３１                  インバーター
３２                  ＮＡＮＤ回路
３３                  インバーター
３４                  インバーター
３５                  インバーター
３６                  ＯＲ回路
３７                  ＡＮＤ回路
３８                  駆動用時間作成部
【図１】
2012253307.tif 000008
【図２】
2012253307.tif 000009